(57)【特許請求の範囲】
【請求項１】
照明負荷と、
前記照明負荷を点灯させる点灯回路と、
所定の検知範囲内における人の在否の検出を行う人感センサと、
前記点灯回路を介して前記照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行う制御部と
を備える照明装置。
【請求項２】
照明負荷、この照明負荷を点灯させる点灯回路、所定の検知範囲内における人の在否の検出を行う人感センサ、および制御部により構成される親機と、
照明負荷およびこの照明負荷を点灯させる点灯回路の一式がそれぞれに具備されて成る複数の子機と
を備え、
前記制御部は、前記親機および複数の子機の各点灯回路を介してその点灯回路下の照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行う
照明装置。
【請求項３】
所定の検知範囲内における人の在否の検出を行う人感センサ、および制御部により構成される親機と、
照明負荷およびこの照明負荷を点灯させる点灯回路の一式がそれぞれに具備されて成る複数の子機と
を備え、
前記制御部は、前記複数の子機の各点灯回路を介してその点灯回路下の照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行う
照明装置。
【請求項４】
前記第２所定時間は前記第１所定時間以下に設定される請求項１〜３のいずれかに記載の照明装置。
【請求項５】
前記監視の際、前記人感センサから人の存在を示す検出結果が得られると、前記第２所定時間の計時が終了する請求項１〜４のいずれかに記載の照明装置。
【請求項６】
前記制御部は、前記監視の際に前記人感センサから人の存在を示す検出結果が得られなかった場合には、前記第２所定時間の経過時点で一旦前記照明負荷の消灯制御を行う請求項１〜５のいずれかに記載の照明装置。
【請求項７】
前記照明負荷の点灯制御による点灯レベルは上限点灯レベルであって、
前記制御部は、前記監視の際に前記人感センサから人の存在を示す検出結果が得られなかった場合には、前記第２所定時間の経過時点で、一旦、前記照明負荷の点灯レベルを前記上限点灯レベルからこれよりも低い下限点灯レベルに切り替える制御を行う
請求項１〜５のいずれかに記載の照明装置。
【請求項８】
前記照明負荷に対する上限としての点灯レベル選定用の選定手段を備え、
前記選定手段で選定された上限としての点灯レベルがこれよりも低い下限としての点灯レベルに切り替わる場合には、前記照明負荷の点灯レベルがフェードアウトで下降し、前記下限としての点灯レベルが前記選定手段で選定された上限としての点灯レベルに切り替わる場合には、前記照明負荷の点灯レベルがフェードインで上昇し、前記フェードアウトの時間は前記選定手段で選定された点灯レベルにかかわらず一定となり、前記フェードインのレベルの上昇度合いは前記選定手段で選定された点灯レベルにかかわらず一定となる
請求項１〜５および７のいずれかに記載の照明装置。
【請求項９】
前記照明負荷に対する上限としての点灯レベル選定用の選定手段を備え、
前記選定手段で選定された上限としての点灯レベルがこれよりも低い下限としての点灯レベルに切り替わる場合には、前記照明負荷の点灯レベルがフェードアウトで下降し、前記下限としての点灯レベルが前記選定手段で選定された上限としての点灯レベルに切り替わる場合には、前記照明負荷の点灯レベルがフェードインで上昇し、前記フェードアウトのレベルの下降度合いは前記選定手段で選定された点灯レベルにかかわらず一定となり、前記フェードインの時間は前記選定手段で選定された点灯レベルにかかわらず一定となる
請求項１〜５および７のいずれかに記載の照明装置。
【発明の詳細な説明】
【０００１】
【発明の属する技術分野】
本発明は、人感センサを用いて照明の点灯状態を自動的に制御する照明装置に関するものである。
【０００２】
【従来の技術】
図１８に従来の照明装置の構成図を示す。照明装置１１ｐは、いわゆるセンサ付き照明器具であって、ランプ１１１と、このランプ１１１を点灯させる点灯回路部１１２と、この点灯回路部１１２への電源供給を後述の制御部１１５ｐからの点滅信号に従って制御する負荷出力部１１３と、焦電素子により成り所定の検知範囲内における人の在否の検出を行う人感センサ１１４と、負荷出力部１１３および点灯回路部１１２を介してランプ１１１を制御する制御部１１５ｐとにより構成されている。
【０００３】
図１９に図１８の制御部により実行されるフローチャートを示す。図１９において、電源が投入されると、所定時間Ｔ１１を計時するなどのためにイニシャライズが行われ（Ｓ９００）、続いて、モードＡの処理として、ランプ１１１の点灯処理が行われ（Ｓ９０１）、これにより、ランプ１１１が点灯する。
【０００４】
この後、所定時間Ｔ１１の計時が行われ（Ｓ９０２）、所定時間Ｔ１１が経過しなければ（Ｓ９０２でＮ）、ステップＳ９０２に戻り、所定時間Ｔ１１が経過すれば（Ｓ９０２でＹ）、ランプ１１１の消灯処理が行われ（Ｓ９０３）、これにより、ランプ１１１が消灯する。
【０００５】
この後、モードＢの処理として、人感センサ１１４から人の存在を示す検出結果が得られる（入力がある）か否かの判別が行われる（Ｓ９０４）。入力があると（Ｓ９０４でＹ）、ランプ１１１の点灯処理が行われ（Ｓ９０５）、これにより、ランプ１１１が点灯する。この後、点灯保持時間のカウンタがクリアされ（Ｓ９０６）、点灯保持時間がカウントされる（Ｓ９０７）。他方、入力がないと（Ｓ９０４でＮ）、ステップＳ９０７に進む。
【０００６】
この後、点灯保持時間が経過したか否かの判定が行われ（Ｓ９０８）、経過しなければ（Ｓ９０８でＮ）、ステップＳ９０４に戻り、経過すれば（Ｓ９０８でＹ）、ランプ１１１の消灯処理が行われ（Ｓ９０９）、これにより、ランプ１１１が消灯する。この後、ステップＳ９０４に戻る。
【０００７】
上記構成および動作の照明装置１１ｐでは、図２０に示すように、電源が投入されると（ｔ１０１）、所定時間Ｔ１１の間、ランプ１１１が点灯し、所定時間Ｔ１１の経過時点ｔ１０２でランプ１１１が一旦消灯し、この後、人感センサ１１４により人の存在が検出されると（ｔ１０３）、その時点ｔ１０３から所定の点灯保持時間の間、ランプ１１１が点灯し、その点灯保持時間は、人感センサ１１４により人の存在が検出される毎に更新される（ｔ１０４参照）。
【０００８】
このように所定時間Ｔ１１の間、ランプ１１１を強制的に点灯させる理由は、電源投入時点から数十秒ほどの間、焦電素子の動作が不安定で、焦電素子により構成される人感センサ１１４が、人の在否にかかわらず、人の存在を示す検知信号を出力することによる。このため、従来では、所定時間Ｔ１１を、人感センサ１１４が正常に検知動作を行うのに必要な３０秒程度に設定し、人感センサ１１４が正確に人の在否を検出することができない間、モードＡとして、ランプ１１１を強制的に点灯させ、これにより誤動作の発生を防止するようにしている。なお、人感センサ１１４が正確に人の在否を検出することができるようになれば、モードＡは、人感センサ１１４の検出結果に応じてランプ１１１の自動点灯制御を行うモードＢに切り替えられる。
【０００９】
【発明が解決しようとする課題】
しかしながら、上記照明装置では、図２１に示すように、電源投入時点ｔ１１１から所定時間Ｔ１１の経過後も暫くの間、人感センサ１１４の検知範囲に人が存在する場合、所定時間Ｔ１１の経過時点ｔ１１２から人感センサ１１４により存在を検出される時点ｔ１１３の間、ランプ１１１が消灯するという不具合が発生する。
【００１０】
このような不具合を解消すべく、図２２に示すように、人感センサ１１４の検出結果にかかわらず、所定時間Ｔ１１の経過時点ｔ１２２から所定の点灯保持時間が常に開始するような制御が採られる場合がある。しかしながら、この制御では、図２２に示すように、電源の投入時点ｔ１２１から、所定時間Ｔ１１の経過時点ｔ１２２で開始された点灯保持時間が終了する時点ｔ１２３までの間、人感センサ１１４の検知範囲に人が存在しなくても、ランプ１１１が点灯するという別の問題が発生する。このように人が存在しないのに、ランプ１１１が点灯すると、無駄な電力が消費されることになる。
【００１１】
本発明は、上記事情に鑑みてなされたものであり、無駄な電力消費の防止が可能で、電源投入後、検知範囲内に人が存在していたとしても、照明負荷を一旦消灯（または下限点灯）させることなく、人感センサの検出結果に応じた照明負荷の自動点灯（調光）制御に移行する照明装置を提供することを目的とする。
【００１２】
【課題を解決するための手段】
上記課題を解決するために請求項１記載の発明の照明装置は、照明負荷と、前記照明負荷を点灯させる点灯回路と、所定の検知範囲内における人の在否の検出を行う人感センサと、前記点灯回路を介して前記照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行う制御部とを備えるのである。
【００１３】
この構成によれば、監視の際に人感センサから人の存在を示す検出結果が得られた場合には、第２所定時間の経過時点から点灯保持時間が開始したものとして照明負荷の点灯制御が行われるので、電源投入後、検知範囲内に人が存在していたとしても、照明負荷を一旦消灯（または下限点灯）させることなく、人感センサの検出結果に応じた照明負荷の自動点灯（調光）制御に移行するようになる。また、監視の際に人感センサから人の存在を示す検出結果が得られなかった場合には、例えば照明負荷の消灯制御などが行われるようにすれば、無駄な電力消費の防止が可能になる。
【００１４】
請求項２記載の発明の照明装置は、照明負荷、この照明負荷を点灯させる点灯回路、所定の検知範囲内における人の在否の検出を行う人感センサ、および制御部により構成される親機と、照明負荷およびこの照明負荷を点灯させる点灯回路の一式がそれぞれに具備されて成る複数の子機とを備え、前記制御部は、前記親機および複数の子機の各点灯回路を介してその点灯回路下の照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行うものである。
【００１５】
この構成によれば、監視の際に人感センサから人の存在を示す検出結果が得られた場合には、第２所定時間の経過時点から点灯保持時間が開始したものとして照明負荷の点灯制御が行われるので、電源投入後、検知範囲内に人が存在していたとしても、照明負荷を一旦消灯（または下限点灯）させることなく、人感センサの検出結果に応じた照明負荷の自動点灯（調光）制御に移行するようになる。また、監視の際に人感センサから人の存在を示す検出結果が得られなかった場合には、例えば照明負荷の消灯制御などが行われるようにすれば、無駄な電力消費の防止が可能になる。
【００１６】
請求項３記載の発明の照明装置は、所定の検知範囲内における人の在否の検出を行う人感センサ、および制御部により構成される親機と、照明負荷およびこの照明負荷を点灯させる点灯回路の一式がそれぞれに具備されて成る複数の子機とを備え、前記制御部は、前記複数の子機の各点灯回路を介してその点灯回路下の照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行うものである。
【００１７】
この構成によれば、監視の際に人感センサから人の存在を示す検出結果が得られた場合には、第２所定時間の経過時点から点灯保持時間が開始したものとして照明負荷の点灯制御が行われるので、電源投入後、検知範囲内に人が存在していたとしても、照明負荷を一旦消灯（または下限点灯）させることなく、人感センサの検出結果に応じた照明負荷の自動点灯（調光）制御に移行するようになる。また、監視の際に人感センサから人の存在を示す検出結果が得られなかった場合には、例えば照明負荷の消灯制御などが行われるようにすれば、無駄な電力消費の防止が可能になる。
【００１８】
なお、請求項１〜３のいずれかに記載の照明装置において、前記第２所定時間は前記第１所定時間以下に設定される構成でもよい（請求項４）。この構成によれば、人感センサの検出結果に応じた照明負荷の自動点灯（調光）制御にすみやかに移行させることが可能になる。
【００１９】
また、請求項１〜４のいずれかに記載の照明装置において、前記監視の際、前記人感センサから人の存在を示す検出結果が得られると、前記第２所定時間の計時が終了する構成でもよい（請求項５）。この構成によれば、人感センサの検出結果に応じた照明負荷の自動点灯（調光）制御にすみやかにかつ適応的に移行させることが可能になる。
【００２０】
また、請求項１〜５のいずれかに記載の照明装置において、前記制御部は、前記監視の際に前記人感センサから人の存在を示す検出結果が得られなかった場合には、前記第２所定時間の経過時点で一旦前記照明負荷の消灯制御を行う構成でもよい（請求項６）。この構成によれば、無駄な電力消費が防止されるようになる。
【００２１】
また、請求項１〜５のいずれかに記載の照明装置において、前記照明負荷の点灯制御による点灯レベルは上限点灯レベルであって、前記制御部は、前記監視の際に前記人感センサから人の存在を示す検出結果が得られなかった場合には、前記第２所定時間の経過時点で、一旦、前記照明負荷の点灯レベルを前記上限点灯レベルからこれよりも低い下限点灯レベルに切り替える制御を行う構成でもよい（請求項７）。この構成によれば、無駄な電力消費が防止されるようになる。
【００２２】
また、請求項１〜５および７のいずれかに記載の照明装置において、前記照明負荷に対する上限としての点灯レベル選定用の選定手段を備え、前記選定手段で選定された上限としての点灯レベルがこれよりも低い下限としての点灯レベルに切り替わる場合には、前記照明負荷の点灯レベルがフェードアウトで下降し、前記下限としての点灯レベルが前記選定手段で選定された上限としての点灯レベルに切り替わる場合には、前記照明負荷の点灯レベルがフェードインで上昇し、前記フェードアウトの時間は前記選定手段で選定された点灯レベルにかかわらず一定となり、前記フェードインのレベルの上昇度合いは前記選定手段で選定された点灯レベルにかかわらず一定となる構成でもよい（請求項８）。この構成によれば、検知範囲に人がいる場合に照明負荷が下限としての点灯に切り替わっても、照明負荷の点灯レベルが徐々に下降している間に、人感センサによって検知されるように所望の動作を行うことで、照明負荷の点灯レベルを、下限としての点灯レベルに下降する前に上限としての点灯レベルに戻すことが可能になる。また、フェードインのレベルの上昇度合いが一定であるので、下限としての点灯から上限としての点灯への切り替わりに対する違和感が減少する。
【００２３】
さらに、請求項１〜５および７のいずれかに記載の照明装置において、前記照明負荷に対する上限としての点灯レベル選定用の選定手段を備え、前記選定手段で選定された上限としての点灯レベルがこれよりも低い下限としての点灯レベルに切り替わる場合には、前記照明負荷の点灯レベルがフェードアウトで下降し、前記下限としての点灯レベルが前記選定手段で選定された上限としての点灯レベルに切り替わる場合には、前記照明負荷の点灯レベルがフェードインで上昇し、前記フェードアウトのレベルの下降度合いは前記選定手段で選定された点灯レベルにかかわらず一定となり、前記フェードインの時間は前記選定手段で選定された点灯レベルにかかわらず一定となる構成でもよい（請求項９）。この構成によれば、照明負荷が上限としての点灯から下限としての点灯に切り替わる場合、単位時間当たりの光の変化量が一定になるので、近くにいる人に対する光の変化の違和感が減少する。また、照明負荷が下限としての点灯から上限としての点灯に切り替わる場合、一定の時間で切り替わるので、上限としての点灯時のフェードイン時間の差に対する違和感が減少する。
【００２４】
【発明の実施の形態】
図１は本発明の第１実施形態に係る照明装置の構成図、図２および図３は図１の制御部の説明図で、これらの図を用いて以下に第１実施形態の説明を行う。
【００２５】
図１に示す照明装置１１は、センサ付き照明器具であって、例えば蛍光ランプなどの照明負荷としてのランプ１１１と、例えばインバータなどにより成りランプ１１１を点灯させる点灯回路部１１２と、この点灯回路部１１２への電源供給を、後述の制御部１１５からの信号に従って制御する負荷出力部１１３と、例えば焦電素子により成り所定の検知範囲内における人の在否の検出を行う人感センサ１１４と、例えばマイコン（マイクロコンピュータ）などにより成り負荷出力部１１３および点灯回路部１１２を介してランプ１１１を制御する制御部１１５とにより構成されている。
【００２６】
ここで、図２，図３を用いて、制御部１１５についてさらに説明すると、制御部１１５は、モードＡとして、電源投入時点（ｔ１１，Ｔ２１）から所定時間Ｔ１１の間、負荷出力部１１３に対し点灯回路部１１２への電源供給を実行させることで、ランプ１１１の点灯制御を行う。ただし、所定時間Ｔ１１は、電源を投入してから焦電素子の検知動作が安定するのに要する時間を考慮して、例えば３０秒程度に設定される。
【００２７】
また、制御部１１５は、モードＡ’として、所定時間Ｔ１１の経過時点（ｔ１２，Ｔ２２）から所定時間Ｔ１２の間、負荷出力部１１３に対し点灯回路部１１２への電源供給を維持させ、これによりランプ１１１の点灯制御を維持した状態で、人感センサ１１４から人の存在を示す検出結果が得られるか否かの監視を行う。ただし、所定時間Ｔ１２は、図２，図３の例では所定時間Ｔ１１と同程度に設定されている。
【００２８】
さらに、制御部１１５は、モードＢとして、所定時間Ｔ１２の経過後、人感センサ１１４から人の存在を示す検出結果が得られる毎に、所定の点灯保持時間、ランプ１１１の点灯制御を行う。そして、モードＢでは、モードＡ’の監視の際に、図２の「人感センサ出力」に示すように、人感センサ１１４から人の存在を示す検出結果が得られなかった場合には、所定時間Ｔ１２の経過時点ｔ１３で、一旦、負荷出力部１１３に対し点灯回路部１１２への電源供給を停止させることで、ランプ１１１の消灯制御が行われ、これ以降、人感センサ１１４から人の存在を示す検出結果が得られる毎に、点灯保持時間、ランプ１１１の点灯制御が行われる。これに対して、図３の「人感センサ出力」に示すように、人感センサ１１４から人の存在を示す検出結果が得られた場合には（ｔ２３などを参照）、所定時間Ｔ１２の経過時点ｔ２４から点灯保持時間が開始したものとしてランプ１１１の点灯制御が行われ、これ以降、人感センサ１１４から人の存在を示す検出結果が得られる毎に、点灯保持時間、ランプ１１１の点灯制御が行われる。
【００２９】
図４は図１の制御部により実行されるフローチャートで、この図をさらに用いて次に第１実施形態の動作を説明する。
【００３０】
電源が投入されると、所定時間Ｔ１１，Ｔ１２を計時するなどのためにイニシャライズが行われ（Ｓ１００）、続いて、モードＡの処理として、ランプ１１１の点灯処理が行われ（Ｓ１０１）、これにより、ランプ１１１が点灯する。
【００３１】
この後、所定時間Ｔ１１の計時が行われ（Ｓ１０２）、所定時間Ｔ１１が経過しなければ（Ｓ１０２でＮ）、ステップＳ１０２に戻り、所定時間Ｔ１１が経過すれば（Ｓ１０２でＹ）、モードＡ’の処理として、人感センサ１１４から人の存在を示す検出結果が得られる（入力がある）か否かの監視が行われる（Ｓ１０３）。入力があると（Ｓ１０３でＹ）、検知フラグがセットされ（Ｓ１０４）、続いて、所定時間Ｔ１２の計時が行われる（Ｓ１０５）。他方、入力がなければ（Ｓ１０３でＮ）、ステップＳ１０５に進む。
【００３２】
この後、所定時間Ｔ１２が経過しなければ（Ｓ１０５でＮ）、ステップＳ１０３に戻り、所定時間Ｔ１２が経過すれば（Ｓ１０５でＹ）、検知フラグがセットされているか否かの判定が行われる（Ｓ１０６）。検知フラグがセットされていなければ（Ｓ１０６でＮ）、ランプ１１１の消灯処理が行われ（Ｓ１０７）、これにより、ランプ１１１が消灯する。この後、ステップＳ１０８に進む。他方、検知フラグがセットされていれば（Ｓ１０６でＹ）、ステップＳ１０８に進む。
【００３３】
モードＢの処理として、ステップＳ１０８に進むと、人感センサ１１４から人の存在を示す検出結果が得られる（検知がある）か否かの判別が行われる。検知があると（Ｓ１０８でＹ）、ランプ１１１の点灯処理が行われ（Ｓ１０９）、これにより、ランプ１１１が点灯する。この後、点灯保持時間のカウンタがクリアされ（Ｓ１１０）、点灯保持時間がカウントされる（Ｓ１１１）。他方、検知がないと（Ｓ１０８でＮ）、ステップＳ１１１に進む。なお、点灯保持時間のカウンタがクリアされると、点灯保持時間が再度計時（リトリガ）されることになるので、ランプ１１１の点灯時間が延長されることになる。
【００３４】
この後、点灯保持時間が経過したか否かの判定が行われ（Ｓ１１２）、経過しなければ（Ｓ１１２でＮ）、ステップＳ１０８に戻り、経過すれば（Ｓ１１２でＹ）、ランプ１１１の消灯処理が行われ（Ｓ１１３）、これにより、ランプ１１１が消灯する。この後、ステップＳ１０８に戻る。
【００３５】
以上、第１実施形態では、モードＡ’の監視の際に、人感センサ１１４から人の存在を示す検出結果が得られなかった場合には、所定時間Ｔ１２の経過時点ｔ１３で、一旦、ランプ１１１の消灯制御が行われるので、人がいないにもかかわらず、ランプ１１１が点灯する不具合が防止される。これにより、無駄な電力消費が防止される。
【００３６】
また、モードＡ’の監視の際に、人感センサ１１４から人の存在を示す検出結果が得られた場合には、所定時間Ｔ１２の経過時点ｔ２４から点灯保持時間が開始したものとしてランプ１１１の点灯制御が行われるので、人がいるにもかかわらず、ランプ１１１が消灯する不具合が防止される。つまり、電源投入後、検知範囲内に人が存在していたとしても、ランプ１１１を一旦消灯させることなく、人感センサ１１４の検出結果に応じたランプ１１１の自動点灯制御に移行するのである。
【００３７】
図５は本発明の第２実施形態に係る照明装置の構成図で、この図を用いて以下に第２実施形態の説明を行う。
【００３８】
図５に示す照明装置は、ランプ１１１、点灯回路部１１２および人感センサ１１４を第１実施形態と同様に有するとともに第１実施形態との相違点として負荷出力部２１３および制御部２１５を有して成るセンサ付き照明器具としての親機２１と、第１実施形態と同様のランプ１１１および点灯回路部１１２の一式がそれぞれに具備されて成る照明器具としての複数（図では２つ）の子機２２とにより構成されている。
【００３９】
負荷出力部２１３は、第１実施形態と同様に、当該負荷出力部２１３が具備される親機２１の点灯回路部１１２への電源供給を制御するほか、第１実施形態との相違点として、各子機２２の点灯回路部１１２への電源供給を制御するものである。
【００４０】
制御部２１５は、例えば、マイコンなどにより成り、本照明装置全般の制御などの処理を行うものであって、負荷出力部２１３と、親機２１および複数の子機２２の各点灯回路部１１２とを介して、その点灯回路部１１２下のランプ１１１を制御する。
【００４１】
また、制御部２１５は、モードＡとして、電源投入時点から所定時間Ｔ１１の間、負荷出力部２１３に対し親機２１および複数の子機２２の各点灯回路部１１２への電源供給を実行させることで、各ランプ１１１の点灯制御を行う。
【００４２】
また、制御部２１５は、モードＡ’として、所定時間Ｔ１１の経過時点から所定時間Ｔ１２の間、負荷出力部２１３に対し親機２１および複数の子機２２の各点灯回路部１１２への電源供給を維持させ、これにより各ランプ１１１の点灯制御を維持した状態で、人感センサ１１４から人の存在を示す検出結果が得られるか否かの監視を行う。
【００４３】
さらに、制御部２１５は、モードＢとして、所定時間Ｔ１２の経過後、人感センサ１１４から人の存在を示す検出結果が得られる毎に、所定の点灯保持時間、親機２１および複数の子機２２の各ランプ１１１の点灯制御を行う。そして、モードＢでは、モードＡ’の監視の際に、人感センサ１１４から人の存在を示す検出結果が得られなかった場合には、所定時間Ｔ１２の経過時点で、一旦、負荷出力部２１３に対し親機２１および複数の子機２２の各点灯回路部１１２への電源供給を停止させることで、各ランプ１１１の消灯制御が行われ、これ以降、人感センサ１１４から人の存在を示す検出結果が得られる毎に、点灯保持時間、各ランプ１１１の点灯制御が行われる。これに対して、人感センサ１１４から人の存在を示す検出結果が得られた場合には、所定時間Ｔ１２の経過時点から点灯保持時間が開始したものとして各ランプ１１１の点灯制御が行われ、これ以降、人感センサ１１４から人の存在を示す検出結果が得られる毎に、点灯保持時間、各ランプ１１１の点灯制御が行われる。
【００４４】
上記構成の照明装置では、第１実施形態の特徴となる動作と同様、モードＡ’の監視の際に、親機２１および複数の子機２２に対する人感センサ１１４の検知範囲（例えば親機２１および複数の子機２２の照明範囲）に、人が存在しなければ、所定時間Ｔ１２の経過時点で、一旦、各ランプ１１１の消灯制御が行われるので、人がいないにもかかわらず、各ランプ１１１が点灯する不具合が防止される。これにより、無駄な電力消費が防止される。
【００４５】
また、モードＡ’の監視の際に、親機２１および複数の子機２２に対する人感センサ１１４の検知範囲に、人が存在すれば、所定時間Ｔ１２の経過時点から点灯保持時間が開始したものとして各ランプ１１１の点灯制御が行われるので、人がいるにもかかわらず、ランプ１１１が消灯する不具合が防止される。つまり、電源投入後、検知範囲内に人が存在していたとしても、ランプ１１１を一旦消灯させることなく、人感センサ１１４の検出結果に応じたランプ１１１の自動点灯制御に移行する。
【００４６】
図６は本発明の第３実施形態に係る照明装置の構成図で、この図を用いて以下に第３実施形態の説明を行う。
【００４７】
図６に示す照明装置は、人感センサ１１４を第１実施形態と同様に有するとともに第１実施形態との相違点として負荷出力部３１３および制御部３１５を有して成るセンサ付き照明制御装置としての親機３１と、第１実施形態と同様のランプ１１１および点灯回路部１１２の一式がそれぞれに具備されて成る照明器具としての複数の子機２２とにより構成されている。
【００４８】
負荷出力部３１３は、各子機２２の点灯回路部１１２への電源供給を制御するものである。
【００４９】
制御部３１５は、例えば、マイコンなどにより成り、本照明装置全般の制御などの処理を行うものであって、負荷出力部３１３と、複数の子機２２の各点灯回路部１１２とを介して、その点灯回路部１１２下のランプ１１１を制御する。
【００５０】
また、制御部３１５は、モードＡとして、電源投入時点から所定時間Ｔ１１の間、負荷出力部３１３に対し複数の子機２２の各点灯回路部１１２への電源供給を実行させることで、各ランプ１１１の点灯制御を行う。
【００５１】
また、制御部３１５は、モードＡ’として、所定時間Ｔ１１の経過時点から所定時間Ｔ１２の間、負荷出力部３１３に対し複数の子機２２の各点灯回路部１１２への電源供給を維持させ、これにより各ランプ１１１の点灯制御を維持した状態で、人感センサ１１４から人の存在を示す検出結果が得られるか否かの監視を行う。
【００５２】
さらに、制御部３１５は、モードＢとして、所定時間Ｔ１２の経過後、人感センサ１１４から人の存在を示す検出結果が得られる毎に、所定の点灯保持時間、複数の子機２２の各ランプ１１１の点灯制御を行う。そして、モードＢでは、モードＡ’の監視の際に、人感センサ１１４から人の存在を示す検出結果が得られなかった場合には、所定時間Ｔ１２の経過時点で、一旦、負荷出力部３１３に対し複数の子機２２の各点灯回路部１１２への電源供給を停止させることで、各ランプ１１１の消灯制御が行われ、これ以降、人感センサ１１４から人の存在を示す検出結果が得られる毎に、点灯保持時間、各ランプ１１１の点灯制御が行われる。これに対して、人感センサ１１４から人の存在を示す検出結果が得られた場合には、所定時間Ｔ１２の経過時点から点灯保持時間が開始したものとして各ランプ１１１の点灯制御が行われ、これ以降、人感センサ１１４から人の存在を示す検出結果が得られる毎に、点灯保持時間、各ランプ１１１の点灯制御が行われる。
【００５３】
上記構成の照明装置では、第１実施形態の特徴となる動作と同様、モードＡ’の監視の際に、人感センサ１１４の検知範囲に、人が存在しなければ、所定時間Ｔ１２の経過時点で、一旦、各ランプ１１１の消灯制御が行われるので、人がいないにもかかわらず、各ランプ１１１が点灯する不具合が防止される。
【００５４】
また、モードＡ’の監視の際に、人感センサ１１４の検知範囲に、人が存在すれば、所定時間Ｔ１２の経過時点から点灯保持時間が開始したものとして各ランプ１１１の点灯制御が行われるので、人がいるにもかかわらず、ランプ１１１が消灯する不具合が防止される。
【００５５】
なお、上記第２および第３実施形態では、照明装置（照明システム）は、１つの人感センサを備える構成になっているが、これに限らず、例えば、人感センサ（別置型の人感センサ子機）が複数の点灯回路部の数だけそれぞれの点灯回路部下のランプを自動点灯させるために設けられる構成でもよい。
【００５６】
図７は本発明の第４実施形態に係る照明装置の構成図、図８は図７の制御部の説明図で、これらの図を用いて以下に第４実施形態の説明を行う。
【００５７】
図７に示す照明装置４１は、ランプ１１１、点灯回路部１１２、負荷出力部１１３および人感センサ１１４を第１実施形態と同様に備えているほか、第１実施形態との相違点として制御部４１５を備えている。
【００５８】
この制御部４１５は、図８の例に示すように、所定時間Ｔ１１より短い時間に設定される所定時間Ｔ２２を所定時間Ｔ１２に代えて使用する以外は、第１実施形態の制御部１１５と同様に構成される。したがって、動作は第１実施形態とほぼ同様であるのでその説明は省略する。したがって、動作は第１実施形態とほぼ同様であるのでその説明は省略する。
【００５９】
上記構成の照明装置４１では、モードＡ’の監視の際に、人感センサ１１４から人の存在を示す検出結果が得られなかった場合には、第１実施形態の所定時間Ｔ１２より短い所定時間Ｔ２２の経過時点ｔ３３で、一旦、ランプ１１１の消灯制御が行われるので、人がいないにもかかわらず、ランプ１１１が点灯する不具合が防止されるほか、第１実施形態よりも一層無駄な電力消費が防止される。
【００６０】
また、モードＡ’の監視の際に、人感センサ１１４から人の存在を示す検出結果が得られた場合には、所定時間Ｔ２２の経過時点から点灯保持時間が開始したものとしてランプ１１１の点灯制御が行われるので、人がいるにもかかわらず、ランプ１１１が消灯する不具合が防止されるほか、第１実施形態よりもすみやかに、人感センサ１１４の検出結果に応じたランプ１１１の自動点灯制御に移行する。
【００６１】
図９は本発明の第５実施形態に係る照明装置の構成図、図１０は図９の制御部の説明図で、これらの図を用いて以下に第５実施形態の説明を行う。
【００６２】
図９に示す照明装置５１は、ランプ１１１、点灯回路部１１２、負荷出力部１１３および人感センサ１１４を第１実施形態と同様に備えているほか、第１実施形態との相違点として制御部５１５を備えている。
【００６３】
制御部５１５は、図１０の例に示すように、モードＡ’の監視の際、人感センサ１１４から人の存在を示す検出結果が得られると、その時点（ｔ４３）で所定時間１２の計時を終了する以外は、第１実施形態の制御部１１５と同様に構成される。
【００６４】
図１１は図９の制御部により実行されるフローチャートで、この図をさらに用いて次に第５実施形態の動作を説明する。
【００６５】
電源が投入されると、所定時間Ｔ１１，Ｔ１２を計時するなどのためにイニシャライズが行われ（Ｓ２００）、続いて、モードＡの処理として、ランプ１１１の点灯処理が行われ（Ｓ２０１）、これにより、ランプ１１１が点灯する。
【００６６】
この後、所定時間Ｔ１１の計時が行われ（Ｓ２０２）、所定時間Ｔ１１が経過しなければ（Ｓ２０２でＮ）、ステップＳ２０２に戻り、所定時間Ｔ１１が経過すれば（Ｓ２０２でＹ）、モードＡ’の処理として、人感センサ１１４から人の存在を示す検出結果が得られる（入力がある）か否かの監視が行われる（Ｓ２０３）。入力がなければ（Ｓ２０３でＮ）、所定時間Ｔ１２の計時が行われ（Ｓ２０４）、所定時間Ｔ１２が経過しなければ（Ｓ２０４でＮ）、ステップＳ２０３に戻る一方、所定時間Ｔ１２が経過すれば（Ｓ２０４でＹ）、ランプ１１１の消灯処理が行われ（Ｓ２０５）、これにより、ランプ１１１が消灯する。この後、ステップＳ２０６に進む。他方、人感センサ１１４から入力があると（Ｓ２０３でＹ）、ステップＳ２０６に進む。
【００６７】
モードＢの処理として、ステップＳ２０６に進むと、人感センサ１１４から人の存在を示す検出結果が得られる（検知がある）か否かの判別が行われる。検知があると（Ｓ２０６でＹ）、ランプ１１１の点灯処理が行われ（Ｓ２０７）、これにより、ランプ１１１が点灯する。この後、点灯保持時間のカウンタがクリアされ（Ｓ２０８）、点灯保持時間がカウントされる（Ｓ２０９）。他方、検知がないと（Ｓ２０６でＮ）、ステップＳ２０９に進む。
【００６８】
この後、点灯保持時間が経過したか否かの判定が行われ（Ｓ２１０）、経過しなければ（Ｓ２１０でＮ）、ステップＳ２０６に戻り、経過すれば（Ｓ２１０でＹ）、ランプ１１１の消灯処理が行われ（Ｓ２１１）、これにより、ランプ１１１が消灯する。この後、ステップＳ２０６に戻る。
【００６９】
上記構成の照明装置５１では、モードＡ’の監視の際に、人感センサ１１４から人の存在を示す検出結果が得られなかった場合には、所定時間Ｔ１２の経過時点（ｔ４４参照）で、一旦、ランプ１１１の消灯制御が行われるので、人がいないにもかかわらず、ランプ１１１が点灯する不具合が防止される。これにより、無駄な電力消費が防止される。
【００７０】
また、モードＡ’の監視の際に、人感センサ１１４から人の存在を示す検出結果が得られた場合には、その検出結果が得られた時点ｔ４３で所定時間Ｔ１２の計時が終了してモードＡ’の処理が終了し、モードＢの処理として、所定時間Ｔ１２の経過時点ｔ４３から点灯保持時間が開始したものとしてランプ１１１の点灯制御が行われることになるので、人がいるにもかかわらず、ランプ１１１が消灯する不具合が防止されるほか、第１実施形態よりもすみやかでかつ適応的に、人感センサ１１４の検出結果に応じたランプ１１１の自動点灯制御に移行する。
【００７１】
図１２は本発明の第６実施形態に係る照明装置の構成図、図１３は図１２の制御部の説明図で、これらの図を用いて以下に第６実施形態の説明を行う。
【００７２】
図１２に示す照明装置６１は、ランプ１１１および人感センサ１１４を第１実施形態と同様に備えているほか、第１実施形態との相違点として、例えばインバータなどにより成り、電源投入後、上限点灯およびこれよりも低い下限点灯のいずれかの点灯レベルでランプ１１１を調光点灯させる点灯回路部６１２、この点灯回路部６１２によるランプ１１１に対する点灯レベルを上限点灯および下限点灯のいずれかの点灯レベルに切り替えるための調光信号を、後述の制御部６１５からの信号に従って出力する調光信号出力部６１３、および例えばマイコンなどにより成り、調光信号出力部６１３および点灯回路部６１２を介してランプ１１１を制御する制御部６１５を備えている。
【００７３】
ここで、図１３を用いて、制御部６１５についてさらに説明すると、制御部６１５は、モードＡとして、電源投入時点（ｔ５１）から所定時間Ｔ１１の間、調光信号出力部６１３に対し上限点灯用の調光信号を点灯回路部６１２に出力させることで、ランプ１１１の上限点灯制御を行う。
【００７４】
また、制御部６１５は、モードＡ’として、所定時間Ｔ１１の経過時点（ｔ５２）から所定時間Ｔ１２の間、調光信号出力部６１３に対し点灯回路部６１２への上限点灯用の調光信号の出力を維持させ、これによりランプ１１１の上限点灯制御を維持した状態で、人感センサ１１４から人の存在を示す検出結果が得られるか否かの監視を行う。
【００７５】
さらに、制御部６１５は、モードＢとして、所定時間Ｔ１２の経過後（ｔ５３後）、人感センサ１１４から人の存在を示す検出結果が得られる毎に、所定の点灯保持時間、ランプ１１１の上限点灯制御を行う。そして、モードＢでは、モードＡ’の監視の際に、人感センサ１１４から人の存在を示す検出結果が得られなかった場合には、所定時間Ｔ１２の経過時点ｔ５３で、一旦、調光信号出力部６１３に対し下限点灯用の調光信号を点灯回路部６１２に出力させることで、ランプ１１１の下限点灯制御が行われ、これ以降、人感センサ１１４から人の存在を示す検出結果が得られる毎に、点灯保持時間、ランプ１１１の上限点灯制御が行われる。これに対して、人感センサ１１４から人の存在を示す検出結果が得られた場合には、所定時間Ｔ１２の経過時点（ｔ５３参照）から点灯保持時間が開始したものとしてランプ１１１の上限点灯制御が行われ、これ以降、人感センサ１１４から人の存在を示す検出結果が得られる毎に、点灯保持時間、ランプ１１１の上限点灯制御が行われる。したがって、本実施形態の動作については、第１実施形態の点灯および消灯をそれぞれ上限点灯および下限点灯に読み替えればよいので、その説明を省略する。
【００７６】
上記構成の照明装置６１では、モードＡ’の監視の際に、人感センサ１１４から人の存在を示す検出結果が得られなかった場合には、所定時間Ｔ１２の経過時点ｔ５３で、一旦、ランプ１１１の下限点灯制御が行われるので、人がいないにもかかわらず、ランプ１１１が上限点灯する不具合が防止される。これにより、無駄な電力消費が防止される。
【００７７】
また、モードＡ’の監視の際に、人感センサ１１４から人の存在を示す検出結果が得られた場合には、所定時間Ｔ１２の経過時点（ｔ５３参照）から点灯保持時間が開始したものとしてランプ１１１の上限点灯制御が行われるので、人がいるにもかかわらず、ランプ１１１が下限点灯する不具合が防止される。つまり、電源投入後、検知範囲内に人が存在していたとしても、ランプ１１１を一旦下限点灯させることなく、人感センサ１１４の検出結果に応じたランプ１１１の自動調光制御に移行するのである。
【００７８】
図１４は本発明の第７実施形態に係る照明装置の構成図、図１５は図１４の照明装置の動作説明図で、これらの図を用いて以下に第７実施形態の説明を行う。
【００７９】
図１４に示す照明装置７１は、ランプ１１１、点灯回路部６１２、調光信号出力部６１３および人感センサ１１４を第６実施形態と同様に備えているほか、第６実施形態との相違点として、上限点灯レベルを少なくとも２種類の上限点灯レベル１，２のいずれかに設定するための上限点灯レベル設定部７１６、および調光信号出力部６１３に対し上限点灯用の調光信号を点灯回路部６１２に出力させる際、上限点灯レベル設定部７１６で設定されたレベルの上限点灯用の調光信号を点灯回路部６１２に出力させる以外は第６実施形態の制御部６１５と同様に構成される制御部７１５を備えている。
【００８０】
ここで、照明装置７１は、図１５に示すように、上限点灯レベル設定部７１６で設定された上限点灯レベル（１または２）がこれよりも低い下限点灯レベルに切り替わる場合には、ランプ１１１の点灯レベルがフェードアウトで下降し、下限点灯レベルが上限点灯レベル設定部７１６で設定された上限点灯レベルに切り替わる場合には、ランプ１１１の点灯レベルがフェードインで上昇し、フェードアウトの時間は上限点灯レベル設定部７１６で設定された上限点灯レベルにかかわらず一定（Ｔ６１参照）となり、フェードインのレベルの上昇度合いは上限点灯レベル設定部７１６で設定された上限点灯レベルにかかわらず一定（単位時間当たりの調光信号レベルの変化量が一定）となるように構成される。つまり、制御部７１５は、上限点灯レベル設定部７１６で設定された上限点灯レベルを下限点灯レベルに切り替える場合、一定の時間Ｔ６１をかけて、上限点灯レベル１または２を徐々に下限点灯レベルに下げる処理を行う。また、制御部７１５は、下限点灯レベルを上限点灯レベル設定部７１６で設定された上限点灯レベルに切り替える場合、点灯レベルの上昇度合い（明るさの変化の傾き）を一定にして、下限点灯レベルを上限点灯レベル１または２に上げる処理を行う。図１５では、下限点灯レベルが上限点灯レベル１，２にまで上昇するのに要する時間は、それぞれＴ６２，Ｔ６３（＜Ｔ６２）となっている。
【００８１】
上記構成の照明装置７１では、第６実施形態と同様の効果が得られるほか、人がいる場合にランプ１１１が下限点灯に切り替わっても、ランプ１１１の点灯レベルが徐々に下降している間に、人感センサ１１４によって検知されるように所望の動作を行うことで、ランプ１１１の点灯レベルを、下限点灯レベルに下降する前に上限点灯レベルに戻すことが可能になる。また、フェードインのレベルの上昇度合いが一定であるので、下限点灯から上限点灯への切り替わりに対する違和感が減少する。
【００８２】
図１６は本発明の第８実施形態に係る照明装置の構成図、図１７は図１６の照明装置の動作説明図で、これらの図を用いて以下に第８実施形態の説明を行う。
【００８３】
図１６に示す照明装置８１は、ランプ１１１、点灯回路部６１２、調光信号出力部６１３、人感センサ１１４および上限点灯レベル設定部７１６を第７実施形態と同様に備えているほか、第７実施形態との相違点として制御部８１５を備えている。
【００８４】
ここで、照明装置８１は、図１７に示すように、上限点灯レベル設定部７１６で設定された上限点灯レベル（１または２）がこれよりも低い下限点灯レベルに切り替わる場合には、ランプ１１１の点灯レベルがフェードアウトで下降し、下限点灯レベルが上限点灯レベル設定部７１６で設定された上限点灯レベルに切り替わる場合には、ランプ１１１の点灯レベルがフェードインで上昇し、フェードアウトのレベルの下降度合いは上限点灯レベル設定部７１６で設定された点灯レベルにかかわらず一定（単位時間当たりの調光信号レベルの変化量が一定）となり、フェードインの時間は上限点灯レベル設定部７１６で設定された点灯レベルにかかわらず一定（Ｔ７３参照）となるように構成される。つまり、制御部８１５は、上限点灯レベル設定部７１６で設定された上限点灯レベルを下限点灯レベルに切り替える場合、点灯レベルの下降度合い（明るさの変化の傾き）を一定にして、上限点灯レベル１または２を下限点灯レベルに下げ、下限点灯レベルを上限点灯レベル設定部７１６で設定された上限点灯レベルに切り替える場合、一定の時間Ｔ７３をかけて、下限点灯レベルを上限点灯レベル１または２に上げる処理を行う以外は、第７実施形態の制御部７１５と同様に構成されるのである。図１７では、上限点灯レベル１，２が下限点灯レベルにまで下降するのに要する時間は、それぞれＴ７１，Ｔ７２（＜Ｔ７１）となっている。
【００８５】
上記構成の照明装置８１では、ランプ１１１が上限点灯から下限点灯に切り替わる場合、単位時間当たりの光の変化量が一定になるので、近くにいる人に対する光の変化の違和感が減少する。また、ランプ１１１が下限点灯から上限点灯に切り替わる場合、一定の時間Ｔ７３で切り替わるので、上限点灯時のフェードイン時間の差に対する違和感が減少する。
【００８６】
【発明の効果】
以上のことから明らかなように、請求項１記載の発明によれば、照明負荷と、前記照明負荷を点灯させる点灯回路と、所定の検知範囲内における人の在否の検出を行う人感センサと、前記点灯回路を介して前記照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行う制御部とを備えるので、電源投入後、検知範囲内に人が存在していたとしても、照明負荷を一旦消灯（または下限点灯）させることなく、人感センサの検出結果に応じた照明負荷の自動点灯（調光）制御に移行する。また、監視の際に人感センサから人の存在を示す検出結果が得られなかった場合には、例えば照明負荷の消灯制御などが行われるようにすれば、無駄な電力消費の防止が可能になる。すなわち、人感センサの検出結果に応じた照明負荷の自動点灯（調光）制御の移行時に、照明負荷が消灯することがなくなり、省エネを図ることが可能となる。
【００８７】
請求項２記載の発明によれば、照明負荷、この照明負荷を点灯させる点灯回路、所定の検知範囲内における人の在否の検出を行う人感センサ、および制御部により構成される親機と、照明負荷およびこの照明負荷を点灯させる点灯回路の一式がそれぞれに具備されて成る複数の子機とを備え、前記制御部は、前記親機および複数の子機の各点灯回路を介してその点灯回路下の照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行うので、電源投入後、検知範囲内に人が存在していたとしても、照明負荷を一旦消灯（または下限点灯）させることなく、人感センサの検出結果に応じた照明負荷の自動点灯（調光）制御に移行する。また、監視の際に人感センサから人の存在を示す検出結果が得られなかった場合には、例えば照明負荷の消灯制御などが行われるようにすれば、無駄な電力消費の防止が可能になる。つまり、システム的に省エネを図ることが可能になる。
【００８８】
請求項３記載の発明によれば、所定の検知範囲内における人の在否の検出を行う人感センサ、および制御部により構成される親機と、照明負荷およびこの照明負荷を点灯させる点灯回路の一式がそれぞれに具備されて成る複数の子機とを備え、前記制御部は、前記複数の子機の各点灯回路を介してその点灯回路下の照明負荷を制御するものであって、電源投入時点から第１所定時間の間、前記照明負荷の点灯制御を行い、前記第１所定時間の経過時点から第２所定時間の間、前記照明負荷の点灯制御を維持した状態で前記人感センサから人の存在を示す検出結果が得られるか否かの監視を行い、前記第２所定時間の経過後、前記人感センサから人の存在を示す検出結果が得られる毎に、所定の点灯保持時間、前記照明負荷の点灯制御を行うほか、前記監視の際に前記人感センサから人の存在を示す検出結果が得られた場合には、前記第２所定時間の経過時点から前記点灯保持時間が開始したものとして前記照明負荷の点灯制御を行うので、電源投入後、検知範囲内に人が存在していたとしても、照明負荷を一旦消灯（または下限点灯）させることなく、人感センサの検出結果に応じた照明負荷の自動点灯（調光）制御に移行する。また、監視の際に人感センサから人の存在を示す検出結果が得られなかった場合には、例えば照明負荷の消灯制御などが行われるようにすれば、無駄な電力消費の防止が可能になる。つまり、システム的に省エネを図ることが可能になる。
【００８９】
請求項４記載の発明によれば、請求項１〜３のいずれかに記載の照明装置において、前記第２所定時間は前記第１所定時間以下に設定されるので、人感センサの検出結果に応じた照明負荷の自動点灯（調光）制御にすみやかに移行させることが可能になる。
【００９０】
請求項５記載の発明によれば、請求項１〜４のいずれかに記載の照明装置において、前記監視の際、前記人感センサから人の存在を示す検出結果が得られると、前記第２所定時間の計時が終了するので、人感センサの検出結果に応じた照明負荷の自動点灯（調光）制御にすみやかにかつ適応的に移行させることが可能になる。また、適応的に移行した分、早めに照明負荷を消灯させることができる場合があるので、省エネを図ることができる。
【００９１】
請求項６記載の発明によれば、請求項１〜５のいずれかに記載の照明装置において、前記制御部は、前記監視の際に前記人感センサから人の存在を示す検出結果が得られなかった場合には、前記第２所定時間の経過時点で一旦前記照明負荷の消灯制御を行うので、無駄な電力消費が防止される。例えば、人がいなければ照明負荷を消灯させる倉庫などの場所で、好適に省エネを図ることができる。
【００９２】
請求項７記載の発明によれば、請求項１〜５のいずれかに記載の照明装置において、前記照明負荷の点灯制御による点灯レベルは上限点灯レベルであって、前記制御部は、前記監視の際に前記人感センサから人の存在を示す検出結果が得られなかった場合には、前記第２所定時間の経過時点で、一旦、前記照明負荷の点灯レベルを前記上限点灯レベルからこれよりも低い下限点灯レベルに切り替える制御を行うので、無駄な電力消費が防止される。例えば、人がいなければ照明負荷を下限点灯させる廊下や公共の場所で、好適に省エネを図ることができる。
【００９３】
請求項８記載の発明によれば、請求項１〜５および７のいずれかに記載の照明装置において、前記照明負荷に対する上限としての点灯レベル選定用の選定手段を備え、前記選定手段で選定された上限としての点灯レベルがこれよりも低い下限としての点灯レベルに切り替わる場合には、前記照明負荷の点灯レベルがフェードアウトで下降し、前記下限としての点灯レベルが前記選定手段で選定された上限としての点灯レベルに切り替わる場合には、前記照明負荷の点灯レベルがフェードインで上昇し、前記フェードアウトの時間は前記選定手段で選定された点灯レベルにかかわらず一定となり、前記フェードインのレベルの上昇度合いは前記選定手段で選定された点灯レベルにかかわらず一定となるので、検知範囲に人がいる場合に照明負荷が下限としての点灯に切り替わっても、照明負荷の点灯レベルが徐々に下降している間に、人感センサによって検知されるように所望の動作を行うことで、照明負荷の点灯レベルを、下限としての点灯レベルに下降する前に上限としての点灯レベルに戻すことが可能になる。また、フェードインのレベルの上昇度合いが一定であるので、下限としての点灯から上限としての点灯への切り替わりに対する違和感が減少する。つまり、光の変化に対する違和感を少なくすることが可能になる。
【００９４】
請求項９記載の発明によれば、請求項１〜５および７のいずれかに記載の照明装置において、前記照明負荷に対する上限としての点灯レベル選定用の選定手段を備え、前記選定手段で選定された上限としての点灯レベルがこれよりも低い下限としての点灯レベルに切り替わる場合には、前記照明負荷の点灯レベルがフェードアウトで下降し、前記下限としての点灯レベルが前記選定手段で選定された上限としての点灯レベルに切り替わる場合には、前記照明負荷の点灯レベルがフェードインで上昇し、前記フェードアウトのレベルの下降度合いは前記選定手段で選定された点灯レベルにかかわらず一定となり、前記フェードインの時間は前記選定手段で選定された点灯レベルにかかわらず一定となるので、近くにいる人に対する光の変化の違和感が減少する。また、上限としての点灯時のフェードイン時間の差に対する違和感が減少する。
【図面の簡単な説明】
【図１】本発明の第１実施形態に係る照明装置の構成図である。
【図２】図１の制御部の説明図である。
【図３】図１の制御部の説明図である。
【図４】図１の制御部により実行されるフローチャートである。
【図５】本発明の第２実施形態に係る照明装置の構成図である。
【図６】本発明の第３実施形態に係る照明装置の構成図である。
【図７】本発明の第４実施形態に係る照明装置の構成図である。
【図８】図７の制御部の説明図である。
【図９】本発明の第５実施形態に係る照明装置の構成図である。
【図１０】図９の制御部の説明図である。
【図１１】図９の制御部により実行されるフローチャートである。
【図１２】本発明の第６実施形態に係る照明装置の構成図である。
【図１３】図１２の制御部の説明図である。
【図１４】本発明の第７実施形態に係る照明装置の構成図である。
【図１５】図１４の照明装置の動作説明図である。
【図１６】本発明の第８実施形態に係る照明装置の構成図である。
【図１７】図１６の照明装置の動作説明図である。
【図１８】従来の照明装置の構成図である。
【図１９】図１８の制御部により実行されるフローチャートである。
【図２０】図１８の照明装置による動作の一例を示す図である。
【図２１】図１８の照明装置による動作の一例である。
【図２２】図２１の不具合を解消するための従来の制御の説明図である。
【符号の説明】
１１，４１，５１，６１，７１，８１  照明装置
２１，３１  親機
１１１  ランプ
１１２，６１２  点灯回路部
１１３，２１３，３１３  負荷出力部
６１３  調光信号出力部
１１４  人感センサ
１１５，２１５，３１５，４１５，５１５，６１５，７１５，８１５  制御部
７１６  上限点灯レベル設定部
２２  子機
【図１】
0003736246.tif 000002
【図２】
0003736246.tif 000003
【図３】
0003736246.tif 000004
【図４】
0003736246.tif 000005
【図５】
0003736246.tif 000006
【図６】
0003736246.tif 000007
【図７】
0003736246.tif 000008
【図８】
0003736246.tif 000009
【図９】
0003736246.tif 000010
【図１０】
0003736246.tif 000011
【図１１】
0003736246.tif 000012
【図１２】
0003736246.tif 000013
【図１３】
0003736246.tif 000014
【図１４】
0003736246.tif 000015
【図１５】
0003736246.tif 000016
【図１６】
0003736246.tif 000017
【図１７】
0003736246.tif 000018
【図１８】
0003736246.tif 000019
【図１９】
0003736246.tif 000020
【図２０】
0003736246.tif 000021
【図２１】
0003736246.tif 000022
【図２２】
0003736246.tif 000023